(57)【要約】【課題】他の情報処理装置に設定された送信抑制期間の短縮を平等に行い、無線リソースの利用における不平等を解消する。【解決手段】情報処理装置は、制御部を具備する情報処理装置である。この制御部は、送信抑制期間を短縮するための送信抑制期間短縮フレームを他の通信機器に送信させるための誘引フレームを送信する制御を行うものである。また、この制御部は、誘引フレームを受信した場合に、この誘引フレームに基づいて送信抑制期間短縮フレームを送信する制御を行うものである。【選択図】図１
2017152983.tif 000002
【特許請求の範囲】
【請求項１】
送信抑制期間を短縮するための送信抑制期間短縮フレームを他の通信機器に送信させるための誘引フレームを送信する制御部を具備する情報処理装置。
【請求項２】
前記制御部は、前記誘引フレームの送信の後に前記送信抑制期間短縮フレームを他の通信機器に対して送信する請求項１記載の情報処理装置。
【請求項３】
前記制御部は、前記送信された誘引フレームにより誘引されて送信される送信抑制期間短縮フレームと同一の構成の前記送信抑制期間短縮フレームを送信する請求項２記載の情報処理装置。
【請求項４】
前記制御部は、前記送信された誘引フレームにより誘引されて送信される送信抑制期間短縮フレームと同時に前記送信抑制期間短縮フレームを送信する請求項２記載の情報処理装置。
【請求項５】
前記制御部は、前記送信された誘引フレームにより誘引されて送信される送信抑制期間短縮フレームと同一の送信レートに基づいて前記送信抑制期間短縮フレームを送信する請求項２記載の情報処理装置。
【請求項６】
前記制御部は、前記誘引フレームを複数の他の情報処理装置に対してブロードキャスト送信する請求項１記載の情報処理装置。
【請求項７】
前記制御部は、前記送信抑制期間におけるデータの送信において最初に前記送信抑制期間を設定するフレームを送信した場合に前記誘引フレームを送信する請求項１記載の情報処理装置。
【請求項８】
前記制御部は、前記誘引フレームにトリガフレームに含まれる情報を含めて送信する制御を行う請求項１記載の情報処理装置。
【請求項９】
送信抑制期間を短縮するための送信抑制期間短縮フレームの送信を誘引するための誘引フレームを受信した場合に当該誘引フレームに基づいて前記送信抑制期間短縮フレームを送信する制御部を具備する情報処理装置。
【請求項１０】
前記制御部は、前記送信抑制期間を設定するフレームを送信した他の通信機器から前記誘引フレームを受信した場合に前記送信抑制期間短縮フレームを送信する請求項９記載の情報処理装置。
【請求項１１】
前記制御部は、トリガフレームに含まれる情報を含む前記誘引フレームを受信した場合に前記送信抑制期間短縮フレームを送信する請求項９記載の情報処理装置。
【請求項１２】
送信抑制期間を短縮するための送信抑制期間短縮フレームを他の通信機器に送信させるための誘引フレームを送信する第１の制御部を備える第１の情報処理装置と、
前記送信された誘引フレームを受信した場合に当該誘引フレームに基づいて前記送信抑制期間短縮フレームを送信する第２の制御部を備える第２の情報処理装置と
を具備する通信システム。
【請求項１３】
送信抑制期間を短縮するための送信抑制期間短縮フレームを他の通信機器に送信させるための誘引フレームを送信する制御手順を具備する情報処理方法。
【請求項１４】
送信抑制期間を短縮するための送信抑制期間短縮フレームの送信を誘引するための誘引フレームを受信した場合に当該誘引フレームに基づいて前記送信抑制期間短縮フレームを送信する制御手順を具備する情報処理方法。
【請求項１５】
送信抑制期間を短縮するための送信抑制期間短縮フレームを他の通信機器に送信させるための誘引フレームを送信する制御手順をコンピュータに実行させるプログラム。
【請求項１６】
送信抑制期間を短縮するための送信抑制期間短縮フレームの送信を誘引するための誘引フレームを受信した場合に当該誘引フレームに基づいて前記送信抑制期間短縮フレームを送信する制御手順をコンピュータに実行させるプログラム。
【発明の詳細な説明】
【技術分野】
【０００１】
本技術は、情報処理装置、通信システム、情報処理方法およびプログラムに関する。詳しくは、無線通信を利用して情報のやり取りを行う情報処理装置、通信システムおよびこれらにおける情報処理方法ならびに当該方法をコンピュータに実行させるプログラムに関する。
【背景技術】
【０００２】
従来、無線通信を利用して情報（フレーム）のやり取りを行う情報処理装置において、複数の情報処理装置間でフレームの通信を行う際に、衝突を回避するため送信抑制期間を設定し、通信を行うシステムが使用されている。例えば、複数のフレームの各々に逆方向のフレーム通信を許可する逆方向許可情報を付加して多重送信を行い、このフレームを受信した情報処理装置との間でデータの送受信を行う情報処理装置が提案されている（例えば、特許文献１参照。）。この従来技術においては、逆方向許可情報を付加したフレームが送信された際に、データの送受信に関与しない他の情報処理装置に対して送信抑制期間が設定される。
【先行技術文献】
【特許文献】
【０００３】
【特許文献１】特開２０１０−２６３４９３号公報
【発明の概要】
【発明が解決しようとする課題】
【０００４】
上述の従来技術では、データの送信に要する時間が予想より短くなり、データの送信が早く終了した場合に、他の情報処理装置に対して設定された送信抑制期間が短縮されないという問題がある。これを解決するため、データの送信を行った情報処理装置が送信抑制期間の短縮を指示するフレームを他の情報処理装置に対して送信し、設定された送信抑制期間を短縮するシステムが使用されている。しかし、その送信抑制期間の短縮を指示するフレームを受信することができない情報処理装置は、送信抑制期間を短縮することができず、無線通信が制限されることとなる。このため、他の情報処理装置の間で無線リソースの利用において不平等を生じるという問題がある。
【０００５】
本技術はこのような状況に鑑みて生み出されたものであり、情報処理装置に設定された送信抑制期間の短縮を平等に行い、無線リソースの利用における不平等を解消することを目的とする。
【課題を解決するための手段】
【０００６】
本技術は、上述の問題点を解消するためになされたものであり、その第１の側面は、送信抑制期間を短縮するための送信抑制期間短縮フレームを他の通信機器に送信させるための誘引フレームを送信する制御部を具備する情報処理装置およびその情報処理方法ならびに当該方法をコンピュータに実行させるプログラムである。これにより、他の通信機器において送信抑制期間短縮フレームの送信が誘引されるという作用をもたらす。
【０００７】
また、この第１の側面において、上記制御部は、上記誘引フレームの送信の後に上記送信抑制期間短縮フレームを他の通信機器に対して送信してもよい。これにより、誘引フレームの送信後に送信抑制期間短縮フレームが送信されるという作用をもたらす。
【０００８】
また、この第１の側面において、上記制御部は、上記送信された誘引フレームにより誘引されて送信される送信抑制期間短縮フレームと同一の構成の上記送信抑制期間短縮フレームを送信してもよい。これにより、同一構成の送信抑制期間短縮フレームが当該情報処理装置および他の通信機器から送信されるという作用をもたらす。
【０００９】
また、この第１の側面において、上記制御部は、上記送信された誘引フレームにより誘引されて送信される送信抑制期間短縮フレームと同時に上記送信抑制期間短縮フレームを送信してもよい。これにより、送信抑制期間短縮フレームが当該情報処理装置および他の通信機器から略同時に送信されるという作用をもたらす。
【００１０】
また、この第１の側面において、上記制御部は、上記送信された誘引フレームにより誘引されて送信される送信抑制期間短縮フレームと同一の送信レートに基づいて上記送信抑制期間短縮フレームを送信してもよい。これにより、送信抑制期間短縮フレームが当該情報処理装置および他の通信機器から略同一の送信レートに基づいて送信されるという作用をもたらす。
【００１１】
また、この第１の側面において、上記制御部は、上記誘引フレームを複数の他の情報処理装置に対してブロードキャスト送信してもよい。これにより、誘引フレームがブロードキャスト送信されるという作用をもたらす。
【００１２】
また、この第１の側面において、上記制御部は、上記送信抑制期間におけるデータの送信において最初に上記送信抑制期間を設定するフレームを送信した場合に上記誘引フレームを送信してもよい。これにより、送信抑制期間を設定した場合に、誘引フレームが送信されるという作用をもたらす。
【００１３】
また、この第１の側面において、上記制御部は、上記誘引フレームにトリガフレームに含まれる情報を含めて送信する制御を行ってもよい。これにより、トリガフレームに含まれる情報を有する誘引フレームが送信されるという作用をもたらす。
【００１４】
また、本技術の第２の側面は、送信抑制期間を短縮するための送信抑制期間短縮フレームの送信を誘引するための誘引フレームを受信した場合に当該誘引フレームに基づいて上記送信抑制期間短縮フレームを送信する制御部を具備する情報処理装置およびその情報処理方法ならびに当該方法をコンピュータに実行させるプログラムである。これにより、誘引フレームを受信した場合に送信抑制期間短縮フレームが送信されるという作用をもたらす。
【００１５】
また、この第２の側面において、上記制御部は、上記送信抑制期間を設定するフレームを送信した他の通信機器から上記誘引フレームを受信した場合に上記送信抑制期間短縮フレームを送信してもよい。これにより、送信抑制期間を設定するフレームを送信した他の通信機器から誘引フレームを受信した場合に送信抑制期間短縮フレームが送信されるという作用をもたらす。
【００１６】
また、この第２の側面において、上記制御部は、トリガフレームに含まれる情報を含む上記誘引フレームを受信した場合に上記送信抑制期間短縮フレームを送信してもよい。これにより、トリガフレームに含まれる情報を有する誘引フレームが受信された場合に送信抑制期間短縮フレームが送信されるという作用をもたらす。
【００１７】
また、本技術の第３の側面は、送信抑制期間を短縮するための送信抑制期間短縮フレームを他の通信機器に送信させるための誘引フレームを送信する第１の制御部を備える第１の情報処理装置と、上記送信された誘引フレームを受信した場合に当該誘引フレームに基づいて上記送信抑制期間短縮フレームを送信する第２の制御部を備える第２の情報処理装置とを具備する通信システムおよびその情報処理方法ならびに当該方法をコンピュータに実行させるプログラムである。これにより、第１の情報処理装置が誘引フレームを送信し、第２の情報処理装置が受信した誘引フレームに基づいて送信抑制期間短縮フレームを送信するという作用をもたらす。
【発明の効果】
【００１８】
本技術によれば、情報処理装置に設定された送信抑制期間の短縮を平等に行い、無線リソースの利用における不平等を解消するという優れた効果を奏し得る。なお、ここに記載された効果は必ずしも限定されるものではなく、本開示中に記載されたいずれかの効果であってもよい。
【図面の簡単な説明】
【００１９】
【図１】本技術の実施の形態における情報処理装置１００の機能構成例を示すブロック図である。
【図２】本技術の実施の形態における通信システム１０のシステム構成の一例を示す図である。
【図３】本技術の基礎となるＮＡＶの設定例を示す図である。
【図４】本技術の基礎となる設定されたＮＡＶを短縮する例を示す図である。
【図５】本技術の実施の形態における誘引フレームの送信によるＮＡＶの短縮の一例を示す図である。
【図６】本技術の実施の形態における誘引フレームの送信によるＮＡＶの短縮の他の例を示す図である。
【図７】本技術の実施の形態における誘引フレームの構成例を示す図である。
【図８】本技術の実施の形態における送信抑制期間短縮フレームの構成例を示す図である。
【図９】本技術の実施の形態におけるデータ送信処理の処理手順の一例を示す図である。
【図１０】本技術の実施の形態における応答処理の処理手順の一例を示す図である。
【図１１】本開示に係る技術が適用され得るスマートフォン９００の概略的な構成の一例を示すブロック図である。
【図１２】本開示に係る技術が適用され得るカーナビゲーション装置９２０の概略的な構成の一例を示すブロック図である。
【図１３】本開示に係る技術が適用され得る無線アクセスポイント９５０の概略的な構成の一例を示すブロック図である。
【発明を実施するための形態】
【００２０】
以下、本技術を実施するための形態（以下、実施の形態と称する）について説明する。説明は以下の順序により行う。
１．第１の実施の形態（送信抑制期間短縮フレームを他の通信機器に送信させるための誘引フレームを送信する場合の例）
２．応用例
【００２１】
＜１．実施の形態＞
［情報処理装置の機能構成例］
図１は、本技術の実施の形態における情報処理装置１００の機能構成例を示すブロック図である。
【００２２】
情報処理装置１００は、データ処理部１１０と、信号処理部１２０と、無線インターフェース部１３０と、アンテナ１４０と、記憶部１５０と、制御部１６０とを備える。
【００２３】
例えば、情報処理装置１００は、無線通信機能を備える固定型または携帯型の情報処理装置とすることができる。ここで、固定型の情報処理装置は、例えば、無線ＬＡＮ（Local Area Network）システムにおけるアクセスポイント（Ａｃｃｅｓｓ  Ｐｏｉｎｔ）、基地局等の情報処理装置である。また、携帯型の情報処理装置は、例えば、スマートフォン、携帯電話、タブレット端末等の情報処理装置である。
【００２４】
また、情報処理装置１００は、例えば、ＩＥＥＥ（Institute of Electrical and Electronic Engineers）８０２．１１の無線ＬＡＮ規格に準拠した通信機能を備えるものとする。例えば、ＩＥＥＥ８０２．１１ａｘの無線ＬＡＮ規格に準拠した通信機能を備えることができる。また、無線ＬＡＮとして、例えば、Ｗｉ−Ｆｉ（Wireless Fidelity）、Ｗｉ−Ｆｉ  Ｄｉｒｅｃｔ、Ｗｉ−Ｆｉ  ＣＥＲＴＩＦＩＥＤ  Ｍｉｒａｃａｓｔ仕様（技術仕様書名：Ｗｉ−Ｆｉ  Ｄｉｓｐｌａｙ）を用いることができる。また、他の通信方式を利用した無線通信を行うようにしてもよい。
【００２５】
また、情報処理装置１００を、例えば、ＭＵ-ＭＩＭＯ（Multi User MIMO）に対応する機器とするようにしてもよい。この場合には、情報処理装置１００は、複数の機器宛の送信を同時に行うことができる。また、情報処理装置１００は、複数の機器宛の送信を同時に行う場合には、ＣＴＳ（Clear to Send）フレームを複数の機器から受信することができる。
【００２６】
データ処理部１１０は、制御部１６０の制御に基づいて、各種データを処理するものである。例えば、データ処理部１１０は、上位層からのデータに対してＭＡＣ（Media Access Control）  Ｈｅａｄｅｒや誤り検出符号等の付加処理を行い、無線送信のためのパケットを生成する。そして、データ処理部１１０は、その生成されたパケットを信号処理部１２０に供給する。
【００２７】
また、例えば、データ処理部１１０は、データの受信時には、信号処理部１２０から受け取ったビット列に対し、ヘッダの解析、パケット誤りの検出処理等を行い、処理後のデータを上位層に供給する。また、例えば、データ処理部１１０は、ヘッダの解析結果やパケット誤りの検出結果等を制御部１６０に通知する。
【００２８】
信号処理部１２０は、制御部１６０の制御に基づいて、各種信号処理を行うものである。例えば、信号処理部１２０は、送信時には、データ処理部１１０からの入力データに対し、制御部１６０により設定されたコーディングおよび変調スキームに基づいて、エンコードし、プリアンブル、ＰＨＹヘッダを付加する。そして、信号処理部１２０は、その信号処理により得られた送信シンボルストリームを無線インターフェース部１３０に供給する。
【００２９】
また、例えば、信号処理部１２０は、受信時には、無線インターフェース部１３０から受け取った受信シンボルストリームに対して、プリアンブル、ＰＨＹヘッダを検出した上で、デコード処理を行い、データ処理部１１０に供給する。また、例えば、信号処理部１２０は、ＰＨＹヘッダの検出結果等を制御部１６０に通知する。
【００３０】
無線インターフェース部１３０は、制御部１６０の制御に基づいて、無線通信を利用して他の情報処理装置と接続して各種情報を送受信するためのインターフェースである。例えば、送信時には、無線インターフェース部１３０は、信号処理部１２０からの入力をアナログ信号にコンバートし、増幅、フィルタリング、所定周波数へアップコンバートし、アンテナ１４０に送出する。
【００３１】
また、例えば、受信時には、無線インターフェース部１３０は、アンテナ１４０からの入力に対して逆の処理を行い、その処理結果を信号処理部１２０に供給する。
【００３２】
また、無線インターフェース部１３０から送信されるデータの送信電力の制御は、制御部１６０により行われる。
【００３３】
記憶部１５０は、制御部１６０によるデータ処理の作業領域としての役割や、各種データを保持する記憶媒体としての機能を有する。記憶部１５０として、例えば、不揮発性メモリ、磁気ディスク、光ディスク、ＭＯ（Magneto Optical）ディスク等の記憶媒体を用いることができる。なお、不揮発性メモリとして、例えば、ＥＥＰＲＯＭ（ElectricallyErasable Programmable Read-Only Memory）、ＥＰＲＯＭ（Erasable Programmable ROM）を用いることができる。また、磁気ディスクとして、例えば、ハードディスク、円盤型磁性体ディスクを用いることができる。また、光ディスクとして、例えば、ＣＤ（Compact Disc）、ＤＶＤ−Ｒ（Digital Versatile Disc Recordable）、ＢＤ（Blu-ray（登録商標）Disc）を用いることができる。
【００３４】
制御部１６０は、データ処理部１１０、信号処理部１２０および無線インターフェース部１３０の各々の受信動作および送信動作を制御するものである。例えば、制御部１６０は、各部間の情報の受け渡しや通信パラメータの設定、データ処理部１１０におけるパケットのスケジューリングを行う。
【００３５】
また、例えば、制御部１６０は、フレーム送信を抑制する期間である送信抑制期間（ＮＡＶ（Network Allocation Vector））を短縮するための送信抑制期間短縮（ＣＦ＿Ｅｎｄ）フレームを他の通信機器に送信させるための誘引フレームを送信する制御を行う。すなわち、この誘引フレームを送信することにより、このフレームを受信した他の通信機器に対してＣＦ＿Ｅｎｄフレームの送信を誘引する。このＣＦ＿Ｅｎｄフレームおよび誘引フレームの構成の詳細については後述する。
【００３６】
また、例えば、制御部１６０は、誘引フレームを受信した場合に当該誘引フレームに基づいてＣＦ＿Ｅｎｄフレームを送信する制御を行う。
【００３７】
［通信システムの構成例］
図２は、本技術の実施の形態における通信システム１０のシステム構成の一例を示す図である。
【００３８】
通信システム１０は、情報処理装置（ＳＴＡ  Ａ）２１０と、情報処理装置（ＳＴＡ  Ｂ）２２０と、情報処理装置（ＳＴＡ１）２３０と、情報処理装置（ＳＴＡ２）２４０と、情報処理装置（ＳＴＡ３）２５０とを含む無線ネットワークである。なお、図２では、各情報処理装置（ＳＴＡ）を三角形で示す。また、情報処理装置（ＳＴＡ  Ａ）２１０の電波到達範囲２６０を、情報処理装置（ＳＴＡ  Ａ）２１０を中心とする破線の円で示す。また、情報処理装置（ＳＴＡ  Ｂ）２２０の電波到達範囲２７０を、情報処理装置（ＳＴＡ  Ｂ）２２０を中心とする破線の円で示す。
【００３９】
ここで、図２を参照して、異なる複数のネットワークが混在する環境において生じる隠れ端末について説明する。
【００４０】
例えば、情報処理装置（ＳＴＡ  Ａ）２１０が情報処理装置（ＳＴＡ  Ｂ）２２０宛にフレームを送信する場合を想定する。この場合には、情報処理装置（ＳＴＡ２）２４０は、情報処理装置（ＳＴＡ  Ａ）２１０の電波到達範囲２６０の外側に存在するため、情報処理装置（ＳＴＡ  Ａ）２１０からのフレームを検出することができない。このため、情報処理装置（ＳＴＡ２）２４０は、無線帯域が使用されてないと判断し、自装置からのフレーム送信を開始してしまうことも想定される。この場合には、情報処理装置（ＳＴＡ  Ａ）２１０からフレームが送信されている間に、情報処理装置（ＳＴＡ２）２４０からもフレームが送信されることになる。このように、情報処理装置（ＳＴＡ  Ａ）２１０からのフレーム送信と、情報処理装置（ＳＴＡ２）２４０からのフレーム送信とが、同じ時間帯に行われると、情報処理装置（ＳＴＡ  Ａ）２１０からのフレームと、情報処理装置（ＳＴＡ２）２４０からのフレームとが衝突してしまい、情報処理装置（ＳＴＡ  Ｂ）２２０は、所望の信号受信に失敗してしまうおそれがある。
【００４１】
このような、信号受信の失敗を防止するため、ＩＥＥＥ８０２．１１では、ＮＡＶという方式を採用している。この例を図３に示す。
【００４２】
［ＮＡＶの設定例］
図３は、本技術の基礎となるＮＡＶの設定例を示す図である。なお、図３に示す横軸は、時間軸を表す。また、図３において、情報処理装置（ＳＴＡ  Ａ）２１０および情報処理装置（ＳＴＡ  Ｂ）２２０に対応する時間軸の上側には、送信対象となるデータを内部にその内容を付した矩形で示す。また、情報処理装置（ＳＴＡ２）２４０に対応する時間軸の上側には、検出したデータを内部にその内容を付した矩形で示す。
【００４３】
図３には、情報処理装置（ＳＴＡ  Ｂ）２２０から送信されるＲＳＴフレームおよびＣＴＳフレームにより情報処理装置（ＳＴＡ１）２３０および情報処理装置（ＳＴＡ２）２４０にそれぞれＮＡＶが設定される場合の例を示す。
【００４４】
最初に、情報処理装置（ＳＴＡ  Ａ）２１０は、情報処理装置（ＳＴＡ  Ｂ）２２０宛のデータを送信する前に、ＲＴＳフレームを情報処理装置（ＳＴＡ  Ｂ）２２０に送信する（３０１）。このＲＴＳフレームには、ＮＡＶを設定する時間（送信抑制時間）がＤｕｒａｔｉｏｎに格納される。また、情報処理装置（ＳＴＡ  Ａ）２１０において、そのＲＴＳフレームにおけるＤｕｒａｔｉｏｎに格納した時間に亘り、バーチャルキャリアセンスによるＮＡＶが設定される（３１０）。
【００４５】
また、情報処理装置（ＳＴＡ  Ｂ）２２０は、そのＲＴＳフレームを受信した場合には、そのＲＴＳフレームに対するＣＴＳフレームを情報処理装置（ＳＴＡ  Ａ）２１０に送信する（３０３）。このＣＴＳフレームにおけるＤｕｒａｔｉｏｎには、ＮＡＶを設定する時間（送信抑制時間）が格納される。また、情報処理装置（ＳＴＡ  Ｂ）２２０において、そのＣＴＳフレームにおけるＤｕｒａｔｉｏｎに格納した時間に亘り、バーチャルキャリアセンスによるＮＡＶが設定される（３１１）。
【００４６】
このように、情報処理装置（ＳＴＡ  Ａ）２１０および情報処理装置（ＳＴＡ  Ｂ）２２０間で、ＲＴＳフレームおよびＣＴＳフレームのフレーム交換が行われる（３０１および３０３）。また、ＲＴＳフレームおよびＣＴＳフレームには、各フレームを受信した機器（周辺機器）が送信抑制期間を設定するための情報が格納される。
【００４７】
ここで、情報処理装置（ＳＴＡ１）２３０は、情報処理装置（ＳＴＡ  Ａ）２１０から送信されたＲＴＳフレームを検出することができるため（３０２）、情報処理装置（ＳＴＡ１）２３０においてＮＡＶが設定される（３１０）。また、情報処理装置（ＳＴＡ２）２４０は、情報処理装置（ＳＴＡ  Ｂ）２２０から送信されたＣＴＳフレームを検出することができるため（３０４）、情報処理装置（ＳＴＡ２）２４０においてＮＡＶが設定される（３１１）。
【００４８】
このようにＮＡＶが設定されている期間（３１０および３１１）において、情報処理装置（ＳＴＡ  Ａ）２１０から情報処理装置（ＳＴＡ  Ｂ）２２０へのデータ（Ｄａｔａ）送信が行われる（３０５）。また、必要に応じて受領確認（ＡＣＫ）フレームの交換が行われる（３０７）。
【００４９】
また、ＲＴＳフレームを受信した情報処理装置（ＳＴＡ１）２３０は、情報処理装置（ＳＴＡ  Ａ）２１０および情報処理装置（ＳＴＡ  Ｂ）２２０間のフレーム交換が終了するまでの間（３１０）、自装置からの送信を抑制する。同様に、ＣＴＳフレームを受信した情報処理装置（ＳＴＡ２）２４０は、情報処理装置（ＳＴＡ  Ａ）２１０および情報処理装置（ＳＴＡ  Ｂ）２２０間のフレーム交換が終了するまでの間（３１１）、自装置からの送信を抑制する。このため、上述したパケットの衝突を回避することができる。
【００５０】
この時、Ｄａｔａ送信に要する時間は、情報処理装置（ＳＴＡ  Ａ）２１０の周囲環境によって変化する。例えば、情報処理装置（ＳＴＡ  Ｂ）２２０が情報処理装置（ＳＴＡ  Ａ）２１０の近くに存在する場合には、高いＭＣＳ（Modulation and Coding Scheme）によるＤａｔａの送信が可能となる。このような場合に、Ｄａｔａ送信に要する時間が短くなり、ＮＡＶが余ることとなる。そこで、設定されたＮＡＶを短縮する方式が提案されている。
【００５１】
［設定されたＮＡＶの短縮］
図４は、本技術の基礎となる設定されたＮＡＶを短縮する例を示す図である。同図において、情報処理装置（ＳＴＡ  Ｂ）２２０からＡＣＫフレームが送信（３０７）された後、情報処理装置（ＳＴＡ  Ａ）２１０は、ＣＦ＿Ｅｎｄフレームを周囲の情報処理装置に対して送信し、これらの情報処理装置に設定されているＮＡＶを短縮することができる。
【００５２】
同図においては、情報処理装置（ＳＴＡ１）２３０がこのＣＦ＿Ｅｎｄフレームを検出して（３０９）ＮＡＶ（３１０）を解除することにより、ＮＡＶ（３１０）が短縮される。これにより、情報処理装置（ＳＴＡ１）２３０において、以後の期間における自装置からの送信が可能となる。このように、ＣＦ＿Ｅｎｄフレームの送信により、無線リソースの有効活用が可能となる。
【００５３】
一方、同図において、情報処理装置（ＳＴＡ  Ａ）２１０からのＣＦ＿Ｅｎｄフレームを受信することができない情報処理装置（ＳＴＡ２）２４０は、設定されたＮＡＶ（３１１）を短縮することができない。このため、情報処理装置（ＳＴＡ２）２４０は、情報処理装置（ＳＴＡ１）２３０と比較して、同図の期間３１２の間不利益を被ることとなる。
【００５４】
この場合、ＣＦ＿Ｅｎｄフレームを受信した情報処理装置（ＳＴＡ  Ｂ）２２０がＣＦ＿Ｅｎｄフレームの応答を行うことにより、情報処理装置（ＳＴＡ  Ｂ）２２０においてＮＡＶの短縮を行うことも可能である。しかし、情報処理装置（ＳＴＡ１）２３０と同時にＮＡＶを短縮することはできず、情報処理装置（ＳＴＡ２）２４０の不利益は解消されない。
【００５５】
そこで、本技術の実施の形態では、情報処理装置（ＳＴＡ  Ａ）２１０が前述した誘引フレームを送信して、他の情報処理装置にＣＦ＿Ｅｎｄフレームの送信を誘引する。これにより、複数の情報処理装置からＣＦ＿Ｅｎｄフレームが送信され、上述の不利益を解消することができる。
【００５６】
［誘引フレームの送信によるＮＡＶの短縮］
図５は、本技術の実施の形態における誘引フレームの送信によるＮＡＶの短縮の一例を示す図である。同図において、情報処理装置（ＳＴＡ  Ｂ）２２０からＡＣＫが送信（３０７）された後、情報処理装置（ＳＴＡ  Ａ）２１０は、誘引フレーム（Ｔｒｉｇｇｅｒフレーム）を情報処理装置（ＳＴＡ  Ｂ）２２０に対して送信する（３１２）。Ｔｒｉｇｇｅｒフレームは、ＣＦ＿Ｅｎｄフレームの送信を誘引するフレームである。Ｔｒｉｇｇｅｒフレームを受信した情報処理装置（ＳＴＡ  Ｂ）２２０は、所定の時間経過後にＣＦ＿Ｅｎｄフレームを送信する（３１４）。これにより、情報処理装置（ＳＴＡ  Ｂ）２２０の周囲の情報処理装置、具体的には、情報処理装置（ＳＴＡ２）２４０のＮＡＶを短縮することができる。
【００５７】
このように、ＮＡＶが設定されたＤａｔａフレームの送信において最初にＮＡＶを設定するフレームを送信（同図におけるＲＴＳフレームの送信３０１および３０２）した情報処理装置（ＳＴＡ  Ａ）２１０がＴｒｉｇｇｅｒフレームを送信する。
【００５８】
また、この際、Ｔｒｉｇｇｅｒフレームを送信した情報処理装置（ＳＴＡ１）２１０においても、所定の時間経過後にＣＦ＿Ｅｎｄフレームを送信することができる（３０９）。これにより、情報処理装置（ＳＴＡ  Ａ）２１０の周囲の情報処理装置、具体的には、情報処理装置（ＳＴＡ１）２３０のＮＡＶを短縮することができる。
【００５９】
この際、情報処理装置（ＳＴＡ  Ａ）２１０および情報処理装置（ＳＴＡ  Ｂ）２２０は、同時にＣＦ＿Ｅｎｄフレームの送信（３０９および３１４）を開始する。また、これらは、同一の送信レートに基づいて送信する。さらに、情報処理装置（ＳＴＡ  Ａ）２１０は、情報処理装置（ＳＴＡ  Ｂ）２２０が送信するＣＦ＿Ｅｎｄフレームと同一の構成のＣＦ＿Ｅｎｄフレームを送信する。これらにより、例えば、図２における情報処理装置（ＳＴＡ３）２５０のように、情報処理装置（ＳＴＡ  Ａ）２１０および情報処理装置（ＳＴＡ  Ｂ）２２０が送信した２つのＣＦ＿Ｅｎｄフレームを受信可能な情報処理装置において、これらを単一のＣＦ＿Ｅｎｄフレームとして受信することができる。
【００６０】
なお、ＩＥＥＥ８０２．１１に準拠した無線通信システムにおける通信では、フレームの送受信を完全に同期して行うことはできない。また、複数の情報処理装置の間で送信レートを完全に等しくすることも困難である。そのため、上述した情報処理装置（ＳＴＡ  Ａ）２１０および情報処理装置（ＳＴＡ  Ｂ）２２０におけるＣＦ＿Ｅｎｄフレームの送信開始のタイミングには誤差を生じることとなる。また、情報処理装置（ＳＴＡ  Ａ）２１０および情報処理装置（ＳＴＡ  Ｂ）２２０におけるＣＦ＿Ｅｎｄフレームの送信レートにおいても差異（誤差）を有することとなる。このような誤差を生じる場合であっても、複数の情報処理装置から同一構成のＣＦ＿Ｅｎｄフレームを同一の送信レートにより同時に送信することにより、他の情報処理装置において単一のＣＦ−Ｅｎｄフレームとして受信させることができる。
【００６１】
情報処理装置（ＳＴＡ  Ａ）２１０は、Ｔｒｉｇｇｅｒフレームを複数の情報処理装置に送信することも可能である。この様子を、図６を参照して説明する。
【００６２】
図６は、本技術の実施の形態における誘引フレームの送信によるＮＡＶの短縮の他の例を示す図である。同図は、空間／周波数多重シーケンスにより複数の情報処理装置に対してフレームを同時に送信する場合を表したものである。
【００６３】
同図において情報処理装置（ＳＴＡ  Ａ）２１０は、ＲＳＴフレームに代えてＭｕｌｔｉ  ＲＴＳフレームを情報処理装置（ＳＴＡ  Ｂ）２２０および情報処理装置（ＳＴＡ３）２５０に対して同時に送信する（３０１および３１５）。つぎに、情報処理装置（ＳＴＡ  Ｂ）２２０および情報処理装置（ＳＴＡ３）２５０からＣＴＳフレームが情報処理装置（ＳＴＡ  Ａ）２１０に対して同時に送信される（３０３および３１６）。つぎに、情報処理装置（ＳＴＡ  Ａ）２１０は、Ｄａｔａフレームを情報処理装置（ＳＴＡ  Ｂ）２２０および情報処理装置（ＳＴＡ３）２５０に対して同時に送信する（３０５および３１７）。このＤａｔａフレームの送信は、空間多重または周波数多重シーケンスにより行われる。
【００６４】
次に、情報処理装置（ＳＴＡ  Ｂ）２２０および情報処理装置（ＳＴＡ３）２５０は、ＡＣＫフレームを情報処理装置（ＳＴＡ  Ａ）２１０に対して同時に送信する（３０７および３１８）。これらのＡＣＫフレームは、異なるチャンネルを使用して送信される。これらのＡＣＫフレームを受信した情報処理装置（ＳＴＡ  Ａ）２１０は、Ｔｒｉｇｇｅｒフレームを情報処理装置（ＳＴＡ  Ｂ）２２０および情報処理装置（ＳＴＡ３）２５０に対して同時に送信する（３１２および３１９）。このＴｒｉｇｇｅｒフレームを受信した情報処理装置（ＳＴＡ  Ｂ）２２０および情報処理装置（ＳＴＡ３）２５０は、ＣＦ＿Ｅｎｄフレームを同時に送信する（３２０および３２１）。
【００６５】
このように、誘引フレームとしてＴｒｉｇｇｅｒフレームを送信することにより、複数の情報処理装置に対して同時にＣＦ＿Ｅｎｄフレームの送信を誘引することかできる。
【００６６】
［誘引フレームの構成］
図７は、本技術の実施の形態における誘引フレームの構成例を示す図である。同図は、図６において説明したＴｒｉｇｇｅｒフレームの構成例を表したものである。同図のＴｒｉｇｇｅｒフレームは、ＰＨＹ  Ｈｅａｄｅｒ１７１と、Ｆｒａｍｅ  Ｔｙｐｅ１７２と、Ｄｕｒａｔｉｏｎ１７３と、Ｒｘ  Ａｄｄｒｅｓｓ１７４と、Ｔｘ  Ａｄｄｒｅｓｓ１７５と、Ａｌｌｏｗｅｄ  Ｆｒａｍｅ１７６とを備える。また、同図のＴｒｉｇｇｅｒフレームは、Ｔｒｉｇｇｅｒｅｄ  ＳＴＡ１７７と、ＦＣＳ１７８とをさらに備える。
【００６７】
なお、Ｆｒａｍｅ  Ｔｙｐｅ１７２、Ｄｕｒａｔｉｏｎ１７３、Ｒｘ  Ａｄｄｒｅｓｓ１７４およびＴｘ  Ａｄｄｒｅｓｓ１７５は、ＭＡＣ  Ｈｅａｄｅｒを構成する。このＭＡＣ  Ｈｅａｄｅｒには、当該フレームの送信目的を示す情報（Ｆｒａｍｅ  Ｔｙｐｅ）が格納される。同図のＴｒｉｇｇｅｒフレームでは、対象の情報処理装置が逆方向に通信することを許可することを目的としている旨の情報（ＵＬ  Ｔｒｉｇｇｅｒ）が記載される。
【００６８】
ＰＨＹ  Ｈｅａｄｅｒ１７１には、ＢＳＳ（Basic Service Set）、ＣｏｌｏｒおよびＬｅｎｇｔｈ等が格納される。
【００６９】
Ｆｒａｍｅ  Ｔｙｐｅ１７２には、上述のように、ＵＬ  Ｔｒｉｇｇｅｒが記載される。
【００７０】
Ｄｕｒａｔｉｏｎ１７３には、ＮＡＶを設定するための持続時間情報が記載される。
【００７１】
Ｒｘ  Ａｄｄｒｅｓｓ１７４には、当該フレームを受信すべき情報処理装置のアドレス情報が記載される。このアドレス情報として、ブロードキャスト送信するためのブロードキャストアドレスを記載することにより、複数の情報処理装置にＴｒｉｇｇｅｒフレームを受信させることができる。すなわち、図６において説明したＴｒｉｇｇｅｒフレームにおいては、Ｒｘ  Ａｄｄｒｅｓｓ１７４にブロードキャストアドレスを記載する。
【００７２】
Ｔｘ  Ａｄｄｒｅｓｓ１７５には、当該フレームの送信元の情報処理装置のアドレス情報が記載される。
【００７３】
Ａｌｌｏｗｅｄ  Ｆｒａｍｅ１７６には、逆方向に送信するフレームの種類が記載される。同図のＴｒｉｇｇｅｒフレームでは、ＣＦ＿Ｅｎｄフレームを指定する。
【００７４】
Ｔｒｉｇｇｅｒｅｄ  ＳＴＡ１７７には、逆方向に送信する情報処理装置のアドレス（ＳＴＡ  ＩＤ）１７９が記載される。図６においては、情報処理装置（ＳＴＡ  Ｂ）２２０および情報処理装置（ＳＴＡ３）２５０のアドレスが記載される。
【００７５】
ＦＣＳ１７８には、誤り検出符号が格納される。
【００７６】
なお、これらの情報は、一例であり、他の情報をフレームに格納してもよい。
【００７７】
［送信抑制期間短縮フレームの構成］
図８は、本技術の実施の形態における送信抑制期間短縮フレームの構成例を示す図である。同図は、図５において説明したＣＦ＿Ｅｎｄフレームの構成例を表したものである。同図のＣＦ＿Ｅｎｄフレームは、ＰＨＹ  Ｈｅａｄｅｒ１８１と、Ｆｒａｍｅ  Ｔｙｐｅ１８２と、Ｄｕｒａｔｉｏｎ１８３と、Ｒｘ  Ａｄｄｒｅｓｓ１８４と、Ｔｘ  Ａｄｄｒｅｓｓ１８５と、ＦＣＳ１８８とを備える。
【００７８】
なお、Ｆｒａｍｅ  Ｔｙｐｅ１８２、Ｄｕｒａｔｉｏｎ１８３、Ｒｘ  Ａｄｄｒｅｓｓ１８４およびＴｘ  Ａｄｄｒｅｓｓ１８５は、ＭＡＣ  Ｈｅａｄｅｒを構成する。
【００７９】
Ｆｒａｍｅ  Ｔｙｐｅ１８２には、当該フレームがＣＦ＿Ｅｎｄフレームである旨が記載される。
【００８０】
Ｄｕｒａｔｉｏｎ１８３には、値「０」が記載される。
【００８１】
Ｒｘ  Ａｄｄｒｅｓｓ１８４には、ブロードキャストアドレスが記載される。
【００８２】
Ｔｘ  Ａｄｄｒｅｓｓ１８５には、例えば、Ｔｒｉｇｇｅｒフレームを送信した情報処理装置のアドレスを記載する。複数の情報処理装置から同一内容のＣＦ＿Ｅｎｄフレームを送信させるためである。これは、例えば、規格により規定することができる。
【００８３】
ＰＨＹ  Ｈｅａｄｅｒ１８１およびＦＣＳ１８８は、図７において説明したＰＨＹ  Ｈｅａｄｅｒ１７１およびＦＣＳ１７８と同様であるため、説明を省略する。
【００８４】
［データ送信処理］
図９は、本技術の実施の形態におけるデータ送信処理の処理手順の一例を示す図である。同図の処理は、情報処理装置がデータの送信を行う際に実行される処理である。具体的には、図５において説明した情報処理装置（ＳＴＡ  Ａ）２１０が実行する処理である。
【００８５】
まず、制御部１６０は、ＲＴＳフレームの送信を行う（ステップＳ８０１）。これにより、送信抑制期間（図５における３１０）が設定される。次に、制御部１６０は、ＣＴＳフレームを受信するまで待機する（ステップＳ８０２）。ＣＴＳフレームを受信すると（ステップＳ８０２：Ｙｅｓ）、制御部１６０は、Ｄａｔａフレームを送信する（ステップＳ８０３）。次に、制御部１６０は、ＡＣＫフレームを受信するまで待機する（ステップＳ８０４）。ＡＣＫフレームを受信すると（ステップＳ８０４：Ｙｅｓ）、制御部１６０は、送信Ｄａｔａがあるか否かを判断する（ステップＳ８０５）。これは、例えば、送信バッファにさらに送るべきＤａｔａが存在するか否かに基づいて判断することができる。
【００８６】
送信Ｄａｔａがある場合には（ステップＳ８０５：Ｙｅｓ）、制御部１６０は、送信抑制期間の残存時間が閾値１以上であるか否かを判断する（ステップＳ８０６）。ここで、閾値１は、ＤａｔａフレームおよびＡＣＫフレームの送受信が可能か否かを判断するための残存時間の閾値である。残存時間が閾値１以上の場合には（ステップＳ８０６：Ｙｅｓ）、制御部１６０は、ステップＳ８０３からの処理を再度実行する。残存時間が閾値１未満の場合には（ステップＳ８０６：Ｎｏ）、制御部１６０は、ステップＳ８０７の処理に移行する。一方、ステップＳ８０５において、送信Ｄａｔａが存在しない場合には（ステップＳ８０５：Ｎｏ）、制御部１６０は、ステップＳ８０７の処理に移行する。
【００８７】
ステップＳ８０７において、制御部１６０は、送信抑制期間の残存時間が閾値２以上であるか否かを判断する（ステップＳ８０７）。ここで、閾値２は、誘引フレームおよび送信抑制期間短縮フレームの送信が可能か否かを判断するための残存時間の閾値である。残存時間が閾値２以上の場合には（ステップＳ８０７：Ｙｅｓ）、制御部１６０は、誘引フレームを送信する（ステップＳ８０８）。具体的には、図７において説明したＴｒｉｇｇｅｒフレームを送信する。次に、制御部１６０は、所定時間後に送信抑制期間短縮フレームを送信する（ステップＳ８０９）。具体的には、図８において説明したＣＦ＿Ｅｎｄフレームを送信する。ここで、その所定時間は、規格により定められた時間を適用することができる。その後、制御部１６０は、データ送信処理を終了する。
【００８８】
一方、ステップＳ８０７において、送信抑制期間の残存時間が閾値２未満の場合には（ステップＳ８０７：Ｎｏ）、制御部１６０は、ステップＳ８０８およびＳ８０９の処理をスキップして、データ送信処理を終了する。
【００８９】
［応答処理］
図１０は、本技術の実施の形態における応答処理の処理手順の一例を示す図である。同図の処理は、ＲＴＳフレームを受信した情報処理装置が行う処理である。具体的には、図５において説明した情報処理装置（ＳＴＡ  Ｂ）２２０が実行する処理である。
【００９０】
まず、制御部１６０は、ＲＴＳフレームを受信するまで待機する（ステップＳ８５１）。ＲＴＳフレームを受信した場合には（ステップＳ８５１：Ｙｅｓ）、制御部１６０は、ＣＴＳフレームを送信する（ステップＳ８５２）。これにより、送信抑制期間（図５における３１１）が設定される。
【００９１】
その後、制御部１６０は、Ｄａｔａフレームを受信する（ステップＳ８５３）。次に、制御部１６０は、ＡＣＫフレームを送信する（ステップＳ８５４）。次に、制御部１６０は、誘引フレーム（Ｔｒｉｇｇｅｒフレーム）を受信したか否かを判断する（ステップＳ８５８）。誘引フレームを受信した場合には（ステップＳ８５８：Ｙｅｓ）、制御部１６０は、所定時間後に送信抑制期間短縮フレーム（ＣＦ＿Ｅｎｄフレーム）を送信し（ステップＳ８５９）、応答処理を終了する。
【００９２】
このように、ＮＡＶを設定するフレーム（ＲＴＳフレーム）を送信した他の通信機器からＴｒｉｇｇｅｒフレームを受信した場合に、情報処理装置はＣＦ＿Ｅｎｄフレームを送信することができる。
【００９３】
一方、ステップＳ８５８において、誘引フレームを受信しなかった場合には（ステップＳ８５８：Ｎｏ）、制御部１６０は、送信抑制期間が経過したか否かを判断する（ステップＳ８５５）。送信抑制期間が経過していない場合には（ステップＳ８５５：Ｎｏ）、制御部１６０は、ステップＳ８５８からの処理を再度実行する。送信抑制期間を経過した場合には（ステップＳ８５５：Ｙｅｓ）、制御部１６０は、応答処理を終了する。
【００９４】
このように、本技術の実施の形態によれば、誘引フレームを送信することにより、送信抑制期間短縮フレームの送信を他の情報処理装置に対して実行させることができ、設定されたＮＡＶを略同時に短縮することができる。これにより、他の情報処理装置に設定された送信抑制期間の短縮を平等に行い、無線リソースの利用における不平等を解消することができる。
【００９５】
＜２．応用例＞
本開示に係る技術は、様々な製品へ応用可能である。例えば、情報処理装置１００は、スマートフォン、タブレットＰＣ（Personal  Computer）、ノートＰＣ、携帯型ゲーム端末若しくはデジタルカメラなどのモバイル端末、テレビジョン受像機、プリンタ、デジタルスキャナ若しくはネットワークストレージなどの固定端末、又はカーナビゲーション装置などの車載端末として実現されてもよい。また、情報処理装置１００は、スマートメータ、自動販売機、遠隔監視装置又はＰＯＳ（Point  Of  Sale）端末などの、Ｍ２Ｍ（Machine  To  Machine）通信を行う端末（ＭＴＣ（Machine  Type  Communication）端末ともいう）として実現されてもよい。さらに、情報処理装置１００は、これら端末に搭載される無線通信モジュール（例えば、１つのダイで構成される集積回路モジュール）であってもよい。
【００９６】
一方、例えば、情報処理装置１００は、ルータ機能を有し又はルータ機能を有しない無線ＬＡＮアクセスポイント（無線基地局ともいう）として実現されてもよい。また、情報処理装置１００および各情報処理装置（ＳＴＡ）は、モバイル無線ＬＡＮルータとして実現されてもよい。さらに、情報処理装置１００は、これら装置に搭載される無線通信モジュール（例えば、１つのダイで構成される集積回路モジュール）であってもよい。
【００９７】
［２−１．第１の応用例］
図１１は、本開示に係る技術が適用され得るスマートフォン９００の概略的な構成の一例を示すブロック図である。スマートフォン９００は、プロセッサ９０１、メモリ９０２、ストレージ９０３、外部接続インターフェース９０４、カメラ９０６、センサ９０７、マイクロフォン９０８、入力デバイス９０９、表示デバイス９１０、スピーカ９１１、無線通信インターフェース９１３、アンテナスイッチ９１４、アンテナ９１５、バス９１７、バッテリー９１８及び補助コントローラ９１９を備える。
【００９８】
プロセッサ９０１は、例えばＣＰＵ（Central  Processing  Unit）又はＳｏＣ（System  on  Chip）であってよく、スマートフォン９００のアプリケーションレイヤ及びその他のレイヤの機能を制御する。メモリ９０２は、ＲＡＭ（Random  Access  Memory）及びＲＯＭ（Read  Only  Memory）を含み、プロセッサ９０１により実行されるプログラム及びデータを記憶する。ストレージ９０３は、半導体メモリ又はハードディスクなどの記憶媒体を含み得る。外部接続インターフェース９０４は、メモリカード又はＵＳＢ（Universal  Serial  Bus）デバイスなどの外付けデバイスをスマートフォン９００へ接続するためのインターフェースである。
【００９９】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１００】
無線通信インターフェース９１３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インターフェース９１３は、インフラストラクチャーモードにおいては、他の装置と無線ＬＡＮアクセスポイントを介して通信し得る。また、無線通信インターフェース９１３は、アドホックモード又はＷｉ−Ｆｉ Ｄｉｒｅｃｔ等のダイレクト通信モードにおいては、他の装置と直接的に通信し得る。なお、Ｗｉ−Ｆｉ  Ｄｉｒｅｃｔでは、アドホックモードとは異なり２つの端末の一方がアクセスポイントとして動作するが、通信はそれら端末間で直接的に行われる。無線通信インターフェース９１３は、典型的には、ベースバンドプロセッサ、ＲＦ（Radio  Frequency）回路及びパワーアンプなどを含み得る。無線通信インターフェース９１３は、通信制御プログラムを記憶するメモリ、当該プログラムを実行するプロセッサ及び関連する回路を集積したワンチップのモジュールであってもよい。無線通信インターフェース９１３は、無線ＬＡＮ方式に加えて、近距離無線通信方式、近接無線通信方式又はセルラ通信方式などの他の種類の無線通信方式をサポートしてもよい。アンテナスイッチ９１４は、無線通信インターフェース９１３に含まれる複数の回路（例えば、異なる無線通信方式のための回路）の間でアンテナ９１５の接続先を切り替える。アンテナ９１５は、単一の又は複数のアンテナ素子（例えば、ＭＩＭＯアンテナを構成する複数のアンテナ素子）を有し、無線通信インターフェース９１３による無線信号の送信及び受信のために使用される。
【０１０１】
なお、図１１の例に限定されず、スマートフォン９００は、複数のアンテナ（例えば、無線ＬＡＮ用のアンテナ及び近接無線通信方式用のアンテナ、など）を備えてもよい。その場合に、アンテナスイッチ９１４は、スマートフォン９００の構成から省略されてもよい。
【０１０２】
バス９１７は、プロセッサ９０１、メモリ９０２、ストレージ９０３、外部接続インターフェース９０４、カメラ９０６、センサ９０７、マイクロフォン９０８、入力デバイス９０９、表示デバイス９１０、スピーカ９１１、無線通信インターフェース９１３及び補助コントローラ９１９を互いに接続する。バッテリー９１８は、図中に破線で部分的に示した給電ラインを介して、図１１に示したスマートフォン９００の各ブロックへ電力を供給する。補助コントローラ９１９は、例えば、スリープモードにおいて、スマートフォン９００の必要最低限の機能を動作させる。
【０１０３】
図１１に示したスマートフォン９００において、図１を用いて説明した制御部１６０は、無線通信インターフェース９１３において実装されてもよい。また、これら機能の少なくとも一部は、プロセッサ９０１又は補助コントローラ９１９において実装されてもよい。例えば制御部１６０が誘引フレームを送信することにより、無線リソースの利用効率を向上させることが可能となり、バッテリー９１８の電力消費を低減することができる。
【０１０４】
なお、スマートフォン９００は、プロセッサ９０１がアプリケーションレベルでアクセスポイント機能を実行することにより、無線アクセスポイント（ソフトウェアＡＰ）として動作してもよい。また、無線通信インターフェース９１３が無線アクセスポイント機能を有していてもよい。
［２−２．第２の応用例］
【０１０５】
図１２は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インターフェース９２８、入力デバイス９２９、表示デバイス９３０、スピーカ９３１、無線通信インターフェース９３３、アンテナスイッチ９３４、アンテナ９３５及びバッテリー９３８を備える。
【０１０６】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１０７】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１０８】
コンテンツプレーヤ９２７は、記憶媒体インターフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１０９】
無線通信インターフェース９３３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インターフェース９３３は、インフラストラクチャーモードにおいては、他の装置と無線ＬＡＮアクセスポイントを介して通信し得る。また、無線通信インターフェース９３３は、アドホックモード又はＷｉ−Ｆｉ Ｄｉｒｅｃｔ等のダイレクト通信モードにおいては、他の装置と直接的に通信し得る。無線通信インターフェース９３３は、典型的には、ベースバンドプロセッサ、ＲＦ回路及びパワーアンプなどを含み得る。無線通信インターフェース９３３は、通信制御プログラムを記憶するメモリ、当該プログラムを実行するプロセッサ及び関連する回路を集積したワンチップのモジュールであってもよい。無線通信インターフェース９３３は、無線ＬＡＮ方式に加えて、近距離無線通信方式、近接無線通信方式又はセルラ通信方式などの他の種類の無線通信方式をサポートしてもよい。アンテナスイッチ９３４は、無線通信インターフェース９３３に含まれる複数の回路の間でアンテナ９３５の接続先を切り替える。アンテナ９３５は、単一の又は複数のアンテナ素子を有し、無線通信インターフェース９３３による無線信号の送信及び受信のために使用される。
【０１１０】
なお、図１２の例に限定されず、カーナビゲーション装置９２０は、複数のアンテナを備えてもよい。その場合に、アンテナスイッチ９３４は、カーナビゲーション装置９２０の構成から省略されてもよい。
【０１１１】
バッテリー９３８は、図中に破線で部分的に示した給電ラインを介して、図１２に示したカーナビゲーション装置９２０の各ブロックへ電力を供給する。また、バッテリー９３８は、車両側から給電される電力を蓄積する。
【０１１２】
図１２に示したカーナビゲーション装置９２０において、図１を用いて説明した制御部１６０は、無線通信インターフェース９３３において実装されてもよい。また、これら機能の少なくとも一部は、プロセッサ９２１において実装されてもよい。例えば、カーナビゲーション装置９２０が誘引フレームを送信することにより、無線リソースの利用効率を向上させることができる。
【０１１３】
また、無線通信インターフェース９３３は、上述した情報処理装置１００として動作し、車両に乗るユーザが有する端末に無線接続を提供してもよい。
【０１１４】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０１１５】
［２−３．第３の応用例］
図１３は、本開示に係る技術が適用され得る無線アクセスポイント９５０の概略的な構成の一例を示すブロック図である。無線アクセスポイント９５０は、コントローラ９５１、メモリ９５２、入力デバイス９５４、表示デバイス９５５、ネットワークインタフェース９５７、無線通信インターフェース９６３、アンテナスイッチ９６４及びアンテナ９６５を備える。
【０１１６】
コントローラ９５１は、例えばＣＰＵ又はＤＳＰ（Digital  Signal  Processor）であってよく、無線アクセスポイント９５０のＩＰ（Internet  Protocol）レイヤ及びより上位のレイヤの様々な機能（例えば、アクセス制限、ルーティング、暗号化、ファイアウォール及びログ管理など）を動作させる。メモリ９５２は、ＲＡＭ及びＲＯＭを含み、コントローラ９５１により実行されるプログラム、及び様々な制御データ（例えば、端末リスト、ルーティングテーブル、暗号鍵、セキュリティ設定及びログなど）を記憶する。
【０１１７】
入力デバイス９５４は、例えば、ボタン又はスイッチなどを含み、ユーザからの操作を受け付ける。表示デバイス９５５は、ＬＥＤランプなどを含み、無線アクセスポイント９５０の動作ステータスを表示する。
【０１１８】
ネットワークインタフェース９５７は、無線アクセスポイント９５０が有線通信ネットワーク９５８に接続するための有線通信インターフェースである。ネットワークインタフェース９５７は、複数の接続端子を有してもよい。有線通信ネットワーク９５８は、イーサネット（登録商標）などのＬＡＮであってもよく、又はＷＡＮ（Wide  Area  Network）であってもよい。
【０１１９】
無線通信インターフェース９６３は、ＩＥＥＥ８０２．１１ａ、１１ｂ、１１ｇ、１１ｎ、１１ａｃ及び１１ａｄなどの無線ＬＡＮ標準のうちの１つ以上をサポートし、近傍の端末へアクセスポイントとして無線接続を提供する。無線通信インターフェース９６３は、典型的には、ベースバンドプロセッサ、ＲＦ回路及びパワーアンプなどを含み得る。無線通信インターフェース９６３は、通信制御プログラムを記憶するメモリ、当該プログラムを実行するプロセッサ及び関連する回路を集積したワンチップのモジュールであってもよい。アンテナスイッチ９６４は、無線通信インターフェース９６３に含まれる複数の回路の間でアンテナ９６５の接続先を切り替える。アンテナ９６５は、単一の又は複数のアンテナ素子を有し、無線通信インターフェース９６３による無線信号の送信及び受信のために使用される。
【０１２０】
図１３に示した無線アクセスポイント９５０において、図１を用いて説明した制御部１６０は、無線通信インターフェース９６３において実装されてもよい。また、これら機能の少なくとも一部は、コントローラ９５１において実装されてもよい。例えば、無線アクセスポイント９５０が誘引フレームを送信することにより、無線リソースの利用効率を向上させることができる。
【０１２１】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１２２】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１２３】
なお、本明細書に記載された効果はあくまで例示であって、限定されるものではなく、また、他の効果があってもよい。
【０１２４】
なお、本技術は以下のような構成もとることができる。
（１）送信抑制期間を短縮するための送信抑制期間短縮フレームを他の通信機器に送信させるための誘引フレームを送信する制御部を具備する情報処理装置。
（２）前記制御部は、前記誘引フレームの送信の後に前記送信抑制期間短縮フレームを他の通信機器に対して送信する前記（１）に記載の情報処理装置。
（３）前記制御部は、前記送信された誘引フレームにより誘引されて送信される送信抑制期間短縮フレームと同一の構成の前記送信抑制期間短縮フレームを送信する前記（２）に記載の情報処理装置。
（４）前記制御部は、前記送信された誘引フレームにより誘引されて送信される送信抑制期間短縮フレームと同時に前記送信抑制期間短縮フレームを送信する前記（２）または（３）に記載の情報処理装置。
（５）前記制御部は、前記送信された誘引フレームにより誘引されて送信される送信抑制期間短縮フレームと同一の送信レートに基づいて前記送信抑制期間短縮フレームを送信する前記（２）から（４）のいずれかに記載の情報処理装置。
（６）前記制御部は、前記誘引フレームを複数の他の情報処理装置に対してブロードキャスト送信する前記（１）から（５）のいずれかに記載の情報処理装置。
（７）前記制御部は、前記送信抑制期間におけるデータの送信において最初に前記送信抑制期間を設定するフレームを送信した場合に前記誘引フレームを送信する前記（１）から（６）のいずれかに記載の情報処理装置。
（８）前記制御部は、前記誘引フレームにトリガフレームに含まれる情報を含めて送信する制御を行う前記（１）から（７）のいずれかに記載の情報処理装置。
（９）送信抑制期間を短縮するための送信抑制期間短縮フレームの送信を誘引するための誘引フレームを受信した場合に当該誘引フレームに基づいて前記送信抑制期間短縮フレームを送信する制御部を具備する情報処理装置。
（１０）前記制御部は、前記送信抑制期間を設定するフレームを送信した他の通信機器から前記誘引フレームを受信した場合に前記送信抑制期間短縮フレームを送信する前記（９）に記載の情報処理装置。
（１１）前記制御部は、トリガフレームに含まれる情報を含む前記誘引フレームを受信した場合に前記送信抑制期間短縮フレームを送信する前記（９）または（１０）に記載の情報処理装置。
（１２）送信抑制期間を短縮するための送信抑制期間短縮フレームを他の通信機器に送信させるための誘引フレームを送信する第１の制御部を備える第１の情報処理装置と、
前記送信された誘引フレームを受信した場合に当該誘引フレームに基づいて前記送信抑制期間短縮フレームを送信する第２の制御部を備える第２の情報処理装置と
を具備する通信システム。
（１３）送信抑制期間を短縮するための送信抑制期間短縮フレームを他の通信機器に送信させるための誘引フレームを送信する制御手順を具備する情報処理方法。
（１４）送信抑制期間を短縮するための送信抑制期間短縮フレームの送信を誘引するための誘引フレームを受信した場合に当該誘引フレームに基づいて前記送信抑制期間短縮フレームを送信する制御手順を具備する情報処理方法。
（１５）送信抑制期間を短縮するための送信抑制期間短縮フレームを他の通信機器に送信させるための誘引フレームを送信する制御手順をコンピュータに実行させるプログラム。
（１６）送信抑制期間を短縮するための送信抑制期間短縮フレームの送信を誘引するための誘引フレームを受信した場合に当該誘引フレームに基づいて前記送信抑制期間短縮フレームを送信する制御手順をコンピュータに実行させるプログラム。
【符号の説明】
【０１２５】
１０  通信システム
１００、２１０、２２０、２３０、２４０、２５０  情報処理装置
１１０  データ処理部
１２０  信号処理部
１３０  無線インターフェース部
１４０  アンテナ
１５０  記憶部
１６０  制御部
９００  スマートフォン
９０１  プロセッサ
９０２  メモリ
９０３  ストレージ
９０４  外部接続インターフェース
９０６  カメラ
９０７  センサ
９０８  マイクロフォン
９０９  入力デバイス
９１０  表示デバイス
９１１  スピーカ
９１３  無線通信インターフェース
９１４  アンテナスイッチ
９１５  アンテナ
９１７  バス
９１８  バッテリー
９１９  補助コントローラ
９２０  カーナビゲーション装置
９２１  プロセッサ
９２２  メモリ
９２４  モジュール
９２５  センサ
９２６  データインタフェース
９２７  コンテンツプレーヤ
９２８  記憶媒体インターフェース
９２９  入力デバイス
９３０  表示デバイス
９３１  スピーカ
９３３  無線通信インターフェース
９３４  アンテナスイッチ
９３５  アンテナ
９３８  バッテリー
９４１  車載ネットワーク
９４２  車両側モジュール
９５０  無線アクセスポイント
９５１  コントローラ
９５２  メモリ
９５４  入力デバイス
９５５  表示デバイス
９５７  ネットワークインタフェース
９５８  有線通信ネットワーク
９６３  無線通信インターフェース
９６４  アンテナスイッチ
９６５  アンテナ
【図１】
2017152983.tif 000003
【図２】
2017152983.tif 000004
【図３】
2017152983.tif 000005
【図４】
2017152983.tif 000006
【図５】
2017152983.tif 000007
【図６】
2017152983.tif 000008
【図７】
2017152983.tif 000009
【図８】
2017152983.tif 000010
【図９】
2017152983.tif 000011
【図１０】
2017152983.tif 000012
【図１１】
2017152983.tif 000013
【図１２】
2017152983.tif 000014
【図１３】
2017152983.tif 000015